【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
帳票から情報を取得するために用いられる帳票定義情報を記憶する記憶手段と、
前記帳票に手書きで記入された記入帳票の画像を読み取る画像読み取り手段と、
前記画像読み取り手段で読み取られた記入帳票の画像の所定の領域画像に基づいて、前記帳票定義情報を取得する帳票定義情報取得手段と、
前記帳票定義情報取得手段で取得された帳票定義情報に基づいて、前記記入帳票の画像の所定の領域の画像情報を取得する画像情報取得手段と、
前記帳票定義情報取得手段で取得された帳票定義情報に定められた複数の領域からなるグループ要素に属する領域に基づいて、前記画像情報取得手段で取得された所定の領域の画像情報から、手書き情報を検出する手書き情報検出手段と、
前記帳票定義情報取得手段で取得された帳票定義情報に基づいて、前記手書き情報検出手段で検出された手書き情報から、前記グループ要素としての情報であるグループ情報を取得するグループ情報取得手段と
を有することを特徴とする手書き帳票処理システム。
【請求項２】
前記グループ情報取得手段は、前記グループ要素に属する領域のうちの１つの領域から取得された値を前記グループ情報とすることを特徴とする請求項１に記載の手書き帳票処理システム。
【請求項３】
前記グループ情報取得手段は、前記グループ要素に属する領域のうちの複数の領域から取得された値を前記グループ情報とすることを特徴とする請求項１に記載の手書き帳票処理システム。
【請求項４】
前記グループ情報取得手段は、前記グループ要素に属する領域から取得された値である文字列を連結したものを前記グループ情報とすることを特徴とする請求項１に記載の手書き帳票処理システム。
【請求項５】
複数の前記グループ情報を表示する表示手段を有し、
前記表示手段で表示されたグループ情報をオペレータにより確認または訂正させる確認訂正手段を有することを特徴とする請求項１に記載の手書き帳票処理システム。
【請求項６】
帳票から情報を取得するために用いられる帳票定義情報を記憶する記憶段階と、
前記帳票に手書きで記入された記入帳票の画像を読み取る画像読み取り段階と、
前記画像読み取り段階で読み取られた記入帳票の画像の所定の領域画像に基づいて、前記帳票定義情報を取得する帳票定義情報取得段階と、
前記帳票定義情報取得段階で取得された帳票定義情報に基づいて、前記記入帳票の画像の所定の領域の画像情報を取得する画像情報取得段階と、
前記帳票定義情報取得段階で取得された帳票定義情報で定められた複数の領域からなるグループ要素に属する領域に基づいて、前記画像情報取得段階で取得された所定の領域の画像情報から、手書き情報を検出する手書き情報検出段階と、
前記帳票定義情報取得段階で取得された帳票定義情報に基づいて、前記手書き情報検出段階で検出された手書き情報から、前記グループ要素としての情報であるグループ情報を取得するグループ情報取得段階と
を有することを特徴とする手書き帳票処理方法。
【請求項７】
前記グループ情報取得段階では、前記グループ要素に属する領域のうちの１つの領域から取得された値を前記グループ情報とすることを特徴とする請求項６に記載の手書き帳票処理方法。
【請求項８】
前記グループ情報取得段階では、前記グループ要素に属する領域のうちの複数の領域から取得された値を前記グループ情報とすることを特徴とする請求項６に記載の手書き帳票処理方法。
【請求項９】
前記グループ情報取得段階では、前記グループ要素に属する領域から取得された値である文字列を連結したものを前記グループ情報とすることを特徴とする請求項６に記載の手書き帳票処理方法。
【請求項１０】
複数の前記グループ情報を表示する表示段階を有し、
前記表示段階で表示されたグループ情報をオペレータにより確認または訂正させる確認訂正手順を有することを特徴とする請求項６に記載の手書き帳票処理方法。
【請求項１１】
コンピュータに、
請求項６ないし１０のいずれか一項に記載の手書き帳票処理方法を実行させる手書き帳票処理プログラム。
【手続補正２】
【補正対象書類名】明細書
【補正対象項目名】００２８
【補正方法】変更
【補正の内容】
【００２８】
上記課題を解決するために、本発明の手書き帳票処理システムは、帳票から情報を取得するために用いられる帳票定義情報を記憶する記憶手段と、前記帳票に手書きで記入された記入帳票の画像を読み取る画像読み取り手段と、前記画像読み取り手段で読み取られた記入帳票の画像の所定の領域画像に基づいて、前記帳票定義情報を取得する帳票定義情報取得手段と、前記帳票定義情報取得手段で取得された帳票定義情報に基づいて、前記記入帳票の画像の所定の領域の画像情報を取得する画像情報取得手段と、前記帳票定義情報取得手段で取得された帳票定義情報に定められた複数の領域からなるグループ要素に属する領域に基づいて、前記画像情報取得手段で取得された所定の領域の画像情報から、手書き情報を検出する手書き情報検出手段と、前記帳票定義情報取得手段で取得された帳票定義情報に基づいて、前記手書き情報検出手段で検出された手書き情報から、前記グループ要素としての情報であるグループ情報を取得するグループ情報取得手段とを有することを特徴とする。
【手続補正３】
【補正対象書類名】明細書
【補正対象項目名】００２９
【補正方法】変更
【補正の内容】
【００２９】
また、上記課題を解決するために、本発明の手書き帳票処理システムは、前記グループ情報取得手段が、前記グループ要素に属する領域のうちの１つの領域から取得された値を前記グループ情報とすることを特徴とする。
【手続補正４】
【補正対象書類名】明細書
【補正対象項目名】００３０
【補正方法】変更
【補正の内容】
【００３０】
また、上記課題を解決するために、本発明の手書き帳票処理システムは、前記グループ情報取得手段が、前記グループ要素に属する領域のうちの複数の領域から取得された値を前記グループ情報とすることを特徴とする。
【手続補正５】
【補正対象書類名】明細書
【補正対象項目名】００３１
【補正方法】変更
【補正の内容】
【００３１】
また、上記課題を解決するために、本発明の手書き帳票処理システムは、前記グループ情報取得手段が、前記グループ要素に属する領域から取得された値である文字列を連結したものを前記グループ情報とすることを特徴とする。
【手続補正６】
【補正対象書類名】明細書
【補正対象項目名】００３２
【補正方法】変更
【補正の内容】
【００３２】
また、上記課題を解決するために、本発明の手書き帳票処理システムは、複数の前記グループ情報を表示する表示手段を有し、前記表示手段で表示されたグループ情報をオペレータにより確認または訂正させる確認訂正手段を有することを特徴とする。
【手続補正７】
【補正対象書類名】明細書
【補正対象項目名】００３３
【補正方法】変更
【補正の内容】
【００３３】
上記課題を解決するために、本発明の手書き帳票処理方法は、帳票から情報を取得するために用いられる帳票定義情報を記憶する記憶段階と、前記帳票に手書きで記入された記入帳票の画像を読み取る画像読み取り段階と、前記画像読み取り手順で読み取られた記入帳票の画像の所定の領域画像に基づいて、前記帳票定義情報を取得する帳票定義情報取得段階と、前記帳票定義情報取得段階で取得された帳票定義情報に基づいて、前記記入帳票の画像の所定の領域の画像情報を取得する画像情報取得段階と、前記帳票定義情報取得段階で取得された帳票定義情報で定められた複数の領域からなるグループ要素に属する領域に基づいて、前記画像情報取得段階で取得された所定の領域の画像情報から、手書き情報を検出する手書き情報検出段階と、前記帳票定義情報取得段階で取得された帳票定義情報に基づいて、前記手書き情報検出段階で検出された手書き情報から、前記グループ要素としての情報であるグループ情報を取得するグループ情報取得段階とを有することを特徴とする。
【手続補正８】
【補正対象書類名】明細書
【補正対象項目名】００３４
【補正方法】変更
【補正の内容】
【００３４】
また、上記課題を解決するために、本発明の手書き帳票処理方法は、前記グループ情報取得段階で、前記グループ要素に属する領域のうちの１つの領域から取得された値を前記グループ情報とすることを特徴とする。
【手続補正９】
【補正対象書類名】明細書
【補正対象項目名】００３５
【補正方法】変更
【補正の内容】
【００３５】
また、上記課題を解決するために、本発明の手書き帳票処理方法は、前記グループ情報取得段階で、前記グループ要素に属する領域のうちの複数の領域から取得された値を前記グループ情報とすることを特徴とする。
【手続補正１０】
【補正対象書類名】明細書
【補正対象項目名】００３６
【補正方法】変更
【補正の内容】
【００３６】
また、上記課題を解決するために、本発明の手書き帳票処理方法は、前記グループ情報取得段階で、前記グループ要素に属する領域から取得された値である文字列を連結したものを前記グループ情報とする。
【手続補正１１】
【補正対象書類名】明細書
【補正対象項目名】００３７
【補正方法】変更
【補正の内容】
【００３７】
また、上記課題を解決するために、本発明の手書き帳票処理方法は、複数の前記グループ情報を表示する表示段階を有し、前記表示段階で表示されたグループ情報をオペレータにより確認または訂正させる確認訂正段階を有することを特徴とする。